(57)【要約】【課題】設定された読取範囲よりも小さい原稿がセットされたとき、無駄な動作と無駄な電力消費を無くす。【解決手段】画像読取装置は、原稿台、キャリッジ、移動機構、イメージセンサー、画像データ生成部、制御部を含む。イメージセンサーは、一方から他方に向けてキャリッジが移動している間、ランプから照射された光に基づき、原稿を読み取る。画像データ生成部は、イメージセンサーが出力するアナログ画像信号に基づき読取画像データを生成する。制御部は、キャリッジの移動中に生成された読取画像データ内での原稿のエッジを検知する。制御部は、キャリッジの移動中、エッジの検知結果に基づき、セットされた原稿を読み取ったと認識する。制御部は、１又は複数回、セットされた原稿を読み取ったと認識したとき、キャリッジの移動を移動機構に停止させる。制御部は、キャリッジを停止させたとき、ランプを消灯させ、イメージセンサーの読み取りを終了させる。【選択図】図６
2020039076.tif 000002
【特許請求の範囲】
【請求項１】
読み取る原稿がセットされる原稿台と、
原稿の読み取りのときに原稿台に向けて光を照射するランプを含むキャリッジと、
原稿の読み取りのとき、前記原稿台の副走査方向で向かい合う辺の一方から他方に向けて、前記キャリッジを移動させる移動機構と、
前記一方から前記他方に向けて前記キャリッジが移動している間、前記ランプから照射された光に基づき、前記原稿を読み取るイメージセンサーと、
前記イメージセンサーが出力するアナログ画像信号に基づき読取画像データを生成する画像データ生成部と、
制御部と、を備え、
前記制御部は、
原稿の読み取り開始後、前記一方から前記他方に向けて前記キャリッジが移動している間、前記ランプを点灯させ、
前記キャリッジの移動中に生成された前記読取画像データ内での原稿のエッジを検知し、
前記キャリッジの移動中、前記エッジの検知結果に基づき、セットされた原稿を読み取ったと認識し、
１又は複数回、セットされた原稿を読み取ったと認識したとき、前記キャリッジの移動を前記移動機構に停止させ、
前記キャリッジを停止させたとき、前記ランプを消灯させ、前記イメージセンサーの読み取りを終了させることを特徴とする画像読取装置。
【請求項２】
前記原稿台にセットする原稿の枚数であるセット枚数の設定を受け付ける操作パネルを含み、
前記制御部は、
前記キャリッジの移動中、セットされた原稿を読み取ったと認識した回数をカウントし、
前記回数のカウント値が前記セット枚数と同じ値になったとき、前記キャリッジの移動を前記移動機構に停止させることを特徴とする請求項１に記載の画像読取装置。
【請求項３】
前記操作パネルは、読取範囲のサイズの設定を受け付け、
設定されたサイズの範囲を読み取った時点の前記カウント値が前記セット枚数よりも小さいとき、
前記制御部は、設定されたサイズの範囲の読み取りが完了した時点で、前記キャリッジを前記移動機構に停止させることを特徴とする請求項２に記載の画像読取装置。
【請求項４】
前記操作パネルが読取範囲のサイズの設定を受け付けていない場合、
読み取り可能な最大サイズの範囲を読み取った時点の前記カウント値が前記セット枚数よりも小さいとき、前記制御部は、前記最大サイズの範囲の読み取りが完了した時点で、前記キャリッジを前記移動機構に停止させることを特徴とする請求項２又は３に記載の画像読取装置。
【請求項５】
前記キャリッジのホームポジションが予め設定され、
前記ホームポジションは、
読取ラインの位置が前記原稿台の外側となる位置に設けられ、
前記他方よりも前記一方に近い位置であり、
前記一方から前記他方へのキャリッジの移動が停止したとき、
前記制御部は、前記ホームポジションに向けて、前記キャリッジを前記移動機構に移動させることを特徴とする請求項１乃至４の何れか１項に記載の画像読取装置。
【請求項６】
前記制御部は、
閉じられたエッジを検知して原稿の輪郭を認識し、
前記輪郭を認識したとき、セットされた原稿を読み取ったと認識することを特徴とする請求項１乃至５の何れか１項に記載の画像読取装置。
【発明の詳細な説明】
【技術分野】
【０００１】
本発明は、セットされた原稿を読み取る画像読取装置に関する。
【背景技術】
【０００２】
画像読取装置にはコンタクトガラス（プラテンガラス）を含むものがある。原稿がコンタクトガラスにセットされる（置かれる）。画像読取装置は、コンタクトガラス上の原稿を読み取る。コンタクトガラス上の原稿を読み取る技術の一例が特許文献１に記載されている。
【０００３】
具体的に、特許文献１には、原稿台上に載置された原稿の主走査方向幅を画像読み取り用の撮像素子によって検知し、原稿の副走査方向に移動可能な撮像素子への発光手段と、発光手段の移動範囲を制限するためのストッパと、ストッパの停止位置を指示するための操作手段とを備える画像形成装置が記載されている。この構成により、不定形サイズの原稿を読み取る場合、原稿サイズに応じた領域のみを簡便な操作で正確に走査しようとする（特許文献１：請求項１、段落［０００７］、［０００８］参照）。
【先行技術文献】
【特許文献】
【０００４】
【特許文献１】特開２００６−０６０５１０号公報
【発明の概要】
【発明が解決しようとする課題】
【０００５】
使用者は原稿を原稿台にセットする。原稿台の原稿を読み取る場合、光源は原稿台に向けて光を照射する。キャリッジは、光源を含む。そして、キャリッジが副走査方向で移動する。キャリッジを副走査方向に移動させることにより、読取ラインの位置が副走査方向に移動する。読取ラインの位置の移動中に、読み取り（走査）を繰り返すことにより、原稿台にセットされた原稿の全体が読み取られる。
【０００６】
使用者は、読み取りを行う範囲（出力する画像データのサイズ）を設定する。画像読取装置は、設定された範囲の読み取りを行う。キャリッジは、設定された範囲を読み取るように移動する。例えば、読取範囲としてＡ４が設定された場合、キャリッジは、原稿台の副走査方向で向かい合う辺の一方から、少なくともＡ４用紙の長辺、又は、短辺の長さの距離を移動する。
【０００７】
ここで、設定された読取範囲よりも小さい原稿がセットされることがある。小さい原稿がセットされたときでも、キャリッジは、設定された範囲の全体を読み取るように移動する。例えば、設定された読取範囲の副走査方向の長さがＡ４長辺の場合、Ａ４よりも小さい原稿がセットされたときでも、キャリッジは、少なくともＡ４長辺分、移動する。原稿部分の読み取りが終わっても、原稿を読み取るための動作が無駄に続けられる。例えば、原稿部分の読み取りが終わっても光源の点灯が続けられる。設定された読取範囲よりも小さい原稿がセットされた場合、無駄な動作が続けられ、無駄な電力が消費されているという問題がある。
【０００８】
特許文献１記載の画像形成装置では、発光手段、ストッパを設ける必要がある。特別な部材の追加が必要である。構造が複雑化し、製造コストが上昇する。また、位置合わせの煩わしさを感じ、使用者が発光手段やストッパの位置をあわせない可能性がある。その結果、必要以上に大きな範囲で読み取りが実行される可能性がある。この場合、無駄な読み取り動作、無駄な電力の消費が生ずる。従って、上記の問題を解決できない場合がある。
【０００９】
本発明は上記従来技術の問題点に鑑み、設定された読取範囲よりも小さい原稿がセットされたとき、無駄な動作と無駄な電力消費を無くす。
【課題を解決するための手段】
【００１０】
本発明に係る画像読取装置は、原稿台、キャリッジ、移動機構、イメージセンサー、画像データ生成部、制御部を含む。前記原稿台は、読み取る原稿がセットされる。前記キャリッジは、原稿の読み取りのときに原稿台に向けて光を照射するランプを含む。前記移動機構は、原稿の読み取りのとき、前記原稿台の副走査方向で向かい合う辺の一方から他方に向けて、前記キャリッジを移動させる。前記イメージセンサーは、前記一方から前記他方に向けて前記キャリッジが移動している間、前記ランプから照射された光に基づき、前記原稿を読み取る。前記画像データ生成部は、前記イメージセンサーが出力するアナログ画像信号に基づき読取画像データを生成する。前記制御部は、原稿の読み取り開始後、前記一方から前記他方に向けて前記キャリッジが移動している間、前記ランプを点灯させる。前記制御部は、前記キャリッジの移動中に生成された前記読取画像データ内での原稿のエッジを検知する。前記制御部は、前記キャリッジの移動中、前記エッジの検知結果に基づき、セットされた原稿を読み取ったと認識する。前記制御部は、１又は複数回、セットされた原稿を読み取ったと認識したとき、前記キャリッジの移動を前記移動機構に停止させる。前記制御部は、前記キャリッジを停止させたとき、前記ランプを消灯させ、前記イメージセンサーの読み取りを終了させる。
【発明の効果】
【００１１】
本発明によれば、設定された読取範囲よりも小さい原稿がセットされたとき、無駄な動作と無駄な電力消費を無くすことができる。
【図面の簡単な説明】
【００１２】
【図１】実施形態に係る複合機の一例を示す図である。
【図２】実施形態に係る画像読取部の一例を示す図である。
【図３】実施形態に係る画像読取部の一例を示す図である。
【図４】実施形態に係る原稿台への原稿セットの一例を示す図である。
【図５】実施形態に係る複合機の読取モードの選択画面の一例を示す図である。
【図６】実施形態に係るエッジ検知モードでの読み取りの流れの一例を示す図である。
【図７】実施形態に係る原稿枚数入力画面の一例を示す図である。
【図８】実施形態に係るエッジ検知モードでの読み取りの具体例を示す図である。
【図９】実施形態に係るエッジ検知モードでの読み取りの具体例を示す図である。
【図１０】実施形態に係るエッジ検知モードでの読み取りの具体例を示す図である。
【発明を実施するための形態】
【００１３】
以下、図１〜図１０を用い、実施形態に係る画像読取装置を説明する。画像読取装置として、複合機１００を例に挙げて説明する。複合機１００は画像データに基づく印刷や送信を行える。複合機１００は画像形成装置でもある。本実施形態の説明に記載されている構成、配置等の各要素は、発明の範囲を限定せず単なる説明例にすぎない。
【００１４】
（複合機１００）
図１を用いて、実施形態に係る複合機１００を説明する。図１は、実施形態に係る複合機１００の一例を示す図である。
【００１５】
図１に示すように、複合機１００は、制御部１、記憶部２、原稿搬送部３、画像読取部４、操作パネル５、印刷部６、通信部６０を含む。
【００１６】
制御部１は複合機１００の動作を制御する。制御部１は、コピーや送信のようなジョブでの動作を制御する。制御部１は、制御回路１０、画像データ生成部１１、画像処理回路１２を含む。制御回路１０は、例えば、ＣＰＵである。制御回路１０は、ジョブに関する処理、演算を行う。画像データ生成部１１は、画像読取部４が原稿を読み取って出力したアナログ画像信号を処理して画像データを生成する。画像処理回路１２は、画像データの画像処理を行う。画像処理回路１２は、例えば、ＡＳＩＣである。記憶部２はＲＡＭ、ＲＯＭ、ストレージを含む。ストレージは、例えば、ＨＤＤ又はＳＳＤである。制御部１は、記憶部２のプログラムやデータに基づき、各部を制御する。原稿搬送部３、画像読取部４は、原稿台４ｂ、ランプ４５、イメージセンサー４６を含み、原稿を読み取る。
【００１７】
操作パネル５は使用者の設定を受け付ける。操作パネル５は、表示パネル５１、タッチパネル５２、ハードキー５３を含む。制御部１は、メッセージや、設定用画面を表示パネル５１に表示させる。制御部１は、操作用画像を表示パネル５１に表示させる。操作用画像は、例えば、ボタン、キー、タブである。タッチパネル５２の出力に基づき、制御部１は、操作された操作用画像を認識する。ハードキー５３は、スタートキーやテンキーを含む。タッチパネル５２、ハードキー５３は使用者の設定操作（ジョブに関する操作）を受け付ける。例えば、操作パネル５は、原稿の読取のモードの設定を受け付ける。制御部１は操作パネル５の出力に基づき、設定内容を認識する。
【００１８】
印刷部６は、給紙部６ａ、用紙搬送部６ｂ、画像形成部６ｃ、定着部６ｄを含む。印刷ジョブのとき、制御部１は用紙を給紙部６ａに供給させる。制御部１は用紙を用紙搬送部６ｂに搬送させる。用紙搬送部６ｂは印刷済み用紙を機外に排出する。制御部１は画像データに基づくトナー像を画像形成部６ｃに形成させる。制御部１は搬送用紙へのトナー像の転写を画像形成部６ｃに行わせる。制御部１は転写されたトナー像の用紙への定着を定着部６ｄに行わせる。
【００１９】
通信部６０は通信用のハードウェア（通信回路）とソフトウェアを含む。通信部６０はコンピューター２００やＦＡＸ装置３００と通信する。コンピューター２００は、例えば、ＰＣやサーバーである。操作パネル５は宛先の設定を受け付ける。制御部１は、設定された宛先に向けて、原稿の読み取りに基づく画像データを通信部６０に送信させる（スキャン送信、ＦＡＸ送信）。また、通信部６０は、コンピューター２００やＦＡＸ装置３００からの印刷用データを受信する。制御部１は、受信した印刷用データに基づき印刷部６に印刷させる（プリントジョブ、ＦＡＸ受信印刷）。
【００２０】
（原稿搬送部３、画像読取部４）
次に、図２、図３を用いて、実施形態に係る原稿搬送部３と画像読取部４を説明する。図２、図３は、実施形態に係る画像読取部４の一例を示す図である。図２は、実施形態に係る画像読取部４を複合機１００の正面方向から見た図である。
【００２１】
原稿搬送部３はセットされた原稿を搬送する。原稿搬送部３はＤＰやＡＤＦと略称されることもある。送り読取を行いたいとき、使用者は原稿を原稿搬送部３にセットする。原稿搬送部３はセットされた原稿を１枚ずつ搬送する。原稿搬送部３は送り読取用コンタクトガラス４ａ（読み取り位置）に向けて原稿を搬送する。画像読取部４は搬送される原稿を読み取る（送り読取）。
【００２２】
送り読取用コンタクトガラス４ａは画像読取部４の上面に設けられる。送り読取用コンタクトガラス４ａは透明である。原稿搬送部３は、原稿搬送方向上流側から順に、原稿トレイ３ａ、供給ローラー３ｂ、原稿搬送路３ｃ、複数の搬送ローラー対３ｄ、排出ローラー対３ｅ、排出トレイ３ｆを含む。原稿は原稿搬送路３ｃを通る。供給ローラー３ｂ、複数の搬送ローラー対３ｄ、排出ローラー対３ｅは原稿を１枚ずつ排出トレイ３ｆに向けて搬送する。原稿トレイ３ａには、原稿セットセンサー３ｇが設けられる。また、原稿を搬送する回転体を回転させるため、原稿搬送モーター３ｈが設けられる（図３参照）。
【００２３】
図３に示すように、原稿搬送制御部３０が原稿搬送部３内に設けられる。原稿搬送制御部３０はＣＰＵやメモリーを含む基板である。原稿セットセンサー３ｇの出力は原稿搬送制御部３０に入力される。原稿セットセンサー３ｇの出力に基づき、原稿搬送制御部３０は、原稿トレイ３ａ上の用紙の有無を認識する。また、原稿搬送制御部３０は、原稿搬送を制御する。
【００２４】
次に、画像読取部４を説明する。画像読取部４の上面右側に原稿台４ｂ（テーブル読取用コンタクトガラス）が配される。原稿台４ｂは透明な板（ガラス板）である。テーブル読取を行うとき、使用者は原稿台４ｂの一面（上側の面）に原稿をセットする。例えば、搬送できない原稿が原稿台４ｂにセットされる。なお、原稿搬送部３を開閉することができる。原稿搬送部３を閉じることで、原稿台４ｂに置かれた原稿を押さえることができる。原稿を押さえるため、原稿搬送部３の下面に押さえ板３ｉが設けられる。押さえ板３ｉは白色の板である。このように、原稿搬送部３は、原稿押さえとしても機能する。図２は、原稿搬送部３が閉じられた状態を示す。
【００２５】
図３に示すように、画像読取部４は読取制御部４０を含む。読取制御部４０は画像読取部４の動作を制御する基板である。読取制御部４０はＣＰＵやメモリーを含む制御基板である。読取制御部４０は、制御部１からの指示信号を受ける。指示に基づき、読取制御部４０は原稿読取を制御する。
【００２６】
画像読取部４は、キャリッジ４２、白基準板４３、移動機構４４を筐体４１内に含む。移動機構４４は、ベルト４４ａ、プーリー４４ｂ、プーリー４４ｃ、移動用モーター４４ｄを含む。キャリッジ４２はＣＩＳ方式のスキャンユニットである。画像読取部４は、ＣＣＤ方式のスキャンユニットを有してもよい。
【００２７】
ベルト４４ａは無端状である。ベルト４４ａは各プーリー４４ｂにかけ回される。ベルト４４ａとキャリッジ４２は接続される。移動用モーター４４ｄが画像読取部４に設けられる（図４参照）。移動用モーター４４ｄはプーリー４４ｂ又はプーリー４４ｃを回転させる。移動用モーター４４ｄは正逆回転可能である。キャリッジ４２を移動させるとき、読取制御部４０は移動用モーター４４ｄを回転させる。これにより、ベルト４４ａが周回する。ベルト４４ａの周回にあわせ、キャリッジ４２は水平方向（副走査方向、主走査方向と垂直な方向、図２の左右方向）で移動する。キャリッジ４２は、原稿台４ｂの他面側（下側）で移動する。原稿台４ｂと送り読取用コンタクトガラス４ａの間に白基準板４３が設けられる。なお、キャリッジ４２のホームポジションは、白基準板４３の下方である（図２参照）。
【００２８】
キャリッジ４２はランプ４５とイメージセンサー４６を含む。また、キャリッジ４２は反射光をイメージセンサー４６の各受光素子に導くレンズも含む。原稿読み取りのとき、制御部１は、ランプ４５を点灯させる。ランプ４５は原稿台４ｂや読取対象に光を照射する。ランプ４５は、例えば、ＬＥＤと導光管を含む。導光管の一方、又は、両端にＬＥＤが取り付けられる。導光管は、端部から入手された光を管の長手方向（主走査方向）で均等に分散する。導光管は分散した光を原稿に向けて照射する。なお、ランプ４５の光源には、ＬＥＤ以外が用いられてもよい。
【００２９】
イメージセンサー４６は原稿台４ｂに置かれた原稿、又は、搬送される原稿を読み取る。イメージセンサー４６はカラーで原稿を読み取る。イメージセンサー４６は複数の受光素子（光電変換素子、画素）を含む。受光素子は、読取対象で反射された光を受光する。読取対象は、例えば、白基準板４３、原稿、原稿台４ｂである。受光素子は列状に並べられる。イメージセンサー４６はラインセンサーである。受光素子が並ぶ方向が主走査方向である。読取対象で反射された光は、受光素子に入射される。各受光素子は、受光量（反射光量）に応じたアナログ画像信号を出力する。各受光素子は、読取期間の受光量が多いほど、大きいアナログ画像信号を出力する。このように、イメージセンサー４６は、ランプ４５からの光に基づき読み取りを行う。なお、イメージセンサー４６は、白黒用のラインセンサーでもよい。
【００３０】
制御部１（コントロール基板）には、画像データ生成部１１が設けられる。ケーブルにより、イメージセンサー４６と画像データ生成部１１が接続される。イメージセンサー４６はアナログ画像信号を出力する。アナログ画像信号は、ケーブルにより、位置的に離れた場所に伝送される。イメージセンサー４６から出力され、ケーブルを介して入力されたアナログ画像信号に基づき、画像データ生成部１１は画像データを生成する。なお、画像データ生成部１１は、画像読取部４内に設けてもよい。
【００３１】
画像データ生成部１１は複数の回路を含む。画像データ生成部１１は、例えば、増幅回路、Ａ／Ｄ変換回路、補正回路を含む。増幅回路は、イメージセンサー４６が出力したアナログ画像信号を増幅する。増幅がなされたアナログ画像信号は、Ａ／Ｄ変換回路に入力される。Ａ／Ｄ変換回路は、入力されたアナログ画像信号をディジタルの画像信号に変換する。つまり、Ａ／Ｄ変換回路は、画像データを生成する。
【００３２】
生成された画像データは補正回路に入力される。ランプ４５、イメージセンサー４６、画像データ生成部１１の特性に起因して、画像データに歪みが含まれることがある。補正回路は歪みを補正する回路である。例えば、補正回路は、シェーディング補正回路を含む。シェーディング補正回路はシェーディング補正を行う。補正回路は他種の補正用回路を含んでもよい。制御部１は、画像データ生成部１１が生成し、処理した画像データ（読取画像データｉ１）を記憶部２に記憶させる。
【００３３】
（原稿のセット）
次に、図４を用いて、実施形態に係る原稿台４ｂへの原稿のセットの一例を説明する。図４は、実施形態に係る原稿台４ｂへの原稿セットの一例を示す図である。図４は、原稿搬送部３を開いた状態の一例を示す。
【００３４】
使用者は原稿台４ｂに原稿を載置する（セットする）。使用者は、読み取る面を下向きにする。図４に示すように、原稿台４ｂには基準点Ｐが設定される。基準点Ｐは、画像読取部４（複合機１００）を正面からみて、原稿台４ｂの左奥隅である。原稿台４ｂを上方からみた場合、基準点Ｐは原稿台４ｂの左上隅である。原稿を置くとき、使用者は、基準点Ｐに原稿の左上隅をあわせてもよい。
【００３５】
原稿読み取りのとき、制御部１は、原稿台４ｂの副走査方向で向かい合う辺の一方から他方に向けて、キャリッジ４２を移動機構４４に移動させる。一方側の辺が基準点Ｐを通る辺である。
【００３６】
（読取モードの選択）
次に、図５を用いて、実施形態に係る複合機１００の読取モードの一例を説明する。図５は、実施形態に係る複合機１００の読取モードの選択画面５４の一例を示す図である。
【００３７】
複合機１００では、原稿を読み取るモードとして、エッジ検知モードとノーマルモードを利用することができる。所定の操作がなされたとき、制御部１は、読取モードの選択画面５４を表示パネル５１に表示させる。図５は、この選択画面５４の一例を示す。操作パネル５は、モードの選択を受け付ける。言い換えると、複合機１００は、エッジ検知モードとノーマルモードのうち、使用するモードの選択を受け付ける操作パネル５を含む。
【００３８】
エッジ検知モードで読み取りを行いたいとき、使用者は、操作パネル５でエッジ検知モードを選択する。具体的には、使用者はエッジ検知モードボタンＢ１を操作する。ノーマルモードで読み取りを行いたいとき、使用者は、操作パネル５でノーマルモードを選択する。具体的には、ノーマルモードボタンＢ２を操作する。操作されたボタンに基づき、制御部１は、操作パネル５で選択されたモードを認識する。
【００３９】
エッジ検知モードは、実際の原稿のサイズにあわせて原稿を読み取るモードである。エッジ検知モードは、電力や動作の無駄を省くことができるモードである。エッジ検知モードでは、テーブル読み取りのみが行われる。エッジ検知モードのとき、制御部１（画像処理部１２）は画像のエッジを検知する。エッジ検知処理は、読み取りで得られた画像データのうち、画素値が急激に（不連続）に変化している部分を検知する処理である。制御部は、読み取り（キャリッジ４２の移動）とエッジ検知処理を並行する。例えば、制御部１は、微分フィルターを用いて、エッジを検知する。
【００４０】
ノーマルモードは、実際の原稿のサイズによらず、読み取りを行うモードである。ノーマルモードのとき、制御部１は、操作パネル５で設定された範囲を画像読取部４に読み取らせる。例えば、読取範囲としてＡ４が設定されたとき、制御部１は、画像読取部４にＡ４の範囲を読み取らせる。
【００４１】
（エッジ検知モードでの読み取り）
次に、図６、図７を用いて、実施形態に係るエッジ検知モードでの読み取りの流れの一例を説明する。図６は実施形態に係るエッジ検知モードでの読み取りの流れの一例を示す図である。図７は、実施形態に係る原稿枚数入力画面５５の一例を示す図である。
【００４２】
図６のスタートは、エッジ検知モードで原稿の読み取り開始指示がなされた時点である。制御部１は、操作パネル５のスタートキーが操作されたとき、原稿の読み取り開始指示がなされたと認識する。このとき、使用者は、原稿台４ｂに原稿をセットしている。
【００４３】
まず、制御部１は、読取範囲のサイズを認識する（ステップ♯１１）。操作パネル５が読み取り開始指示前に読取範囲のサイズの設定を受け付けているとき、制御部１は、設定されたサイズを読取範囲のサイズと認識する。例えば、読取範囲のサイズとしてレターサイズが設定されているとき、制御部１は、レターサイズを読取範囲のサイズと認識する。
【００４４】
一方、操作パネル５が読み取り開始指示前に読取範囲のサイズの設定を受け付けていないとき、制御部１は、読取範囲のサイズを読み取り可能な最大サイズと認識する。例えば、読み取り可能な最大サイズは、Ａ３サイズである。
【００４５】
なお、操作パネル５が読取範囲のサイズの設定を受け付けているとき、制御部１は、設定されたサイズの読取画像データｉ１を生成する。操作パネル５が読取範囲のサイズの設定を受け付けていないとき、制御部１は、読み取り可能な最大サイズの読取画像データｉ１を生成する。読取範囲の設定は、読み取りの結果出力される画像データと関係がある。
【００４６】
次に、制御部１は、原稿枚数入力画面５５を操作パネル５（表示パネル５１）に表示させる（ステップ♯１２）。図７は、原稿枚数入力画面５５の一例を示す。原稿枚数入力画面５５には、枚数入力欄５６が設けられる。使用者は、枚数入力欄５６に原稿台４ｂにセットする原稿の枚数（セット枚数）を入力する。枚数入力欄５６の初期値は１である。制御部１は、原稿枚数入力画面５５の表示開始時、枚数入力欄５６に１を表示させる。プラスキーとマイナスキーにより、セット枚数を増減することができる。このように、操作パネル５は、原稿台４ｂに原稿のセット枚数の入力を受け付ける。操作パネル５の出力に基づき、制御部１は、入力されたセット枚数を認識する（ステップ♯１３）。
【００４７】
そして、制御部１は、ランプ４５を点灯させ、原稿（原稿台４ｂ）の読み取りを開始させる（ステップ♯１４）。制御部１は、ホームポジションからキャリッジ４２を副走査方向で移動させる。
【００４８】
原稿の読み取りのとき、制御部１は、原稿台４ｂの副走査方向で向かい合う辺の一方から他方に向けて、キャリッジ４２を移動機構４４に移動させる。制御部１は、原稿台４ｂの副走査方向で向かい合う辺のうち、基準点Ｐ側（ホームポジション側）に近い方の端辺から、基準点Ｐ側から遠い方の主走査方向の端辺に向けてキャリッジ４２を移動させる。
【００４９】
読み取り開始にあわせ、制御部１（読取制御部４０）は、原稿の読み取りをイメージセンサー４６に開始させる。制御部１は、一方から他方に向けてキャリッジ４２が移動している間、ランプ４５から照射された光に基づき、原稿をイメージセンサー４６に読み取らせる。イメージセンサー４６は、１ラインの読み取りを繰り返す。読み取り開始にあわせ、イメージセンサー４６は、アナログ画像信号を出力する。画像データ生成部１１は、イメージセンサー４６が出力するアナログ画像信号に基づき、読取画像データｉ１を生成する。
【００５０】
読み取り中（キャリッジ４２移動中、ランプ４５点灯中）、制御部１（画像処理回路１２）は、キャリッジ４２の移動中に生成された読取画像データｉ１（生成直後の読取画像データｉ１）に含まれる原稿のエッジを検知する（ステップ♯１５）。言い換えると、読み取りと並行して、制御部１は、濃度の不連続が線状に連なる部分を検知する。
【００５１】
例えば、制御部１は、読取画像データｉ１の各画素を注目画素とする。制御部１は、注目画素を中心としたエッジ検知用のフィルターを用いて演算する。エッジ検知用のフィルターは、例えば、微分フィルターやラプラシアンフィルターである。注目画素が濃度不連続部分の画素の場合、例えば、制御部１は、画素値を明るい値に変換する。注目画素が濃度変化の少ない部分の画素の場合、例えば、制御部１は、画素値を暗い値に変換する。例えば、１又は複数ライン分の読取画像データｉ１が生成されるごとに、制御部１は、新たに生成された読取画像データｉ１の各画素を注目画素として演算を行う。
【００５２】
フィルター演算後、制御部１は、読取画像データｉ１の二値化を行う。これにより、制御部１は、エッジが強調された画像データ（エッジ強調画像データ）を生成する。読み取りが進むごとに、制御部１は、副走査方向でエッジ強調画像データを追加してゆく。
【００５３】
そして、制御部１（画像処理回路１２）は、セットされた原稿を１枚読み取ったか否かを確認する（ステップ♯１６）。具体的に、制御部１は、エッジ強調画像データから閉じられたエッジを検知する。閉じられたエッジを検知することにより、制御部１は、原稿の輪郭（外縁）を認識する。原稿の輪郭を認識したとき、制御部１は、セットされた原稿を１枚読み取った（１枚の原稿の読取が完了した）と認識する。
【００５４】
なお、原稿の中には、図形が描かれることがある。このような図形が閉じたエッジ（輪郭）と検知される場合があり得る。原稿の輪郭を正確に検知するため、制御部１は、閉じたエッジに含まれる閉じたエッジについては、原稿の輪郭と認識しない。例えば、閉じられたエッジ内に、閉じられたエッジを認識したとき、制御部１は、エッジ強調画像データから内側のエッジを消去してもよい。
【００５５】
また、原稿のエッジを正確に検知しやすくするため、エッジ検知モードでの読み取りでは、原稿押さえ（原稿搬送部３）を閉じないことを使用者に勧めてもよい。例えば、制御部１は、原稿押さえを閉じるべきではないことを知らせるメッセージを表示パネル５１に表示させる。例えば、制御部１は、原稿枚数入力画面５５内に当該メッセージを表示させてもよい（図７参照）。
【００５６】
原稿押さえ（原稿搬送部３）を閉じない場合、ランプ４５の光は押さえ板３ｉで反射されない。原稿台４ｂのうち、原稿がない部分では、イメージセンサー４６に入射する光が減る。読取画像データｉ１のうち、原稿以外の部分を読み取って得られた画素の画素値は暗くなる。制御部１は、読取画像データｉ１において、検知した輪郭の外側の画素の画素値を認識する。輪郭の外側の画素の画素値が予め定められた閾値よりも暗い値のとき、制御部１は、当該輪郭を原稿の輪郭と認識してもよい。輪郭の外側の画素の画素値が予め定められた閾値と同じ、又は、明るい値のとき、制御部１は、当該輪郭を原稿の輪郭とは認識しないようにしてもよい（原稿内の図形と認識する）。
【００５７】
セットされた原稿を１枚読み取ったと認識できたとき（ステップ♯１６のＹｅｓ）、制御部１（画像処理回路１２）は、カウント値Ｃ１（図１参照）に１を加算する（ステップ♯１７）。制御部１は、カウント値Ｃ１を記憶部２に記憶させる。カウント値Ｃ１は、エッジ検知モードで読み取りを開始してから、セットされた原稿を１枚読み取ったと制御部１が認識した回数である。制御部１は回数を数える。セットされた原稿を１枚読み取ったと認識するごとに、制御部１は、カウント値Ｃ１を更新する。
【００５８】
そして、制御部１は、セット枚数の原稿を読み取ったか否かを確認する（ステップ♯１８）。言い換えると、制御部１は、カウント値Ｃ１がセット枚数と同じになったか（到達したか）を確認する。
【００５９】
カウント値Ｃ１がセット枚数と同じになったとき（ステップ♯１８のＹｅｓ）、制御部１はキャリッジ４２の移動を移動機構４４に停止させる（ステップ♯１９）。キャリッジ４２の停止にあわせて、制御部１は、ランプ４５を消灯させ、イメージセンサー４６の読み取り（動作）を終了させる（ステップ♯１１０）。セット枚数の原稿を読み取った時点で、読み取りが終了する。設定された読取範囲の全てを読み取る前に、読み取りが終了する。電力や時間の無駄を省くことができる。
【００６０】
そして、制御部１は、ホームポジションに向けて、キャリッジ４２を移動機構４４に移動させる（ステップ♯１１１）、キャリッジ４２のホームポジションは予め定められる。ホームポジションは、読取ラインの位置が原稿台４ｂの外側となる位置（白基準板４３の下）に設けられる。ホームポジションは、副走査方向で向かい合う原稿台４ｂの端部のうち、他方よりも一方（基準点Ｐ）に近い。これにより、エッジ検知モードでの原稿の読み取りが完了する（エンド）。
【００６１】
なお、原稿読み取りに伴い、制御部１は、１ページの読取画像データｉ１を生成する。例えば、操作パネル５が読取範囲のサイズの設定を受け付けているとき、制御部１は、設定されたサイズの白地の画像データに、読取画像データｉ１を貼りつけた画像データを生成してもよい。操作パネル５が読取範囲のサイズの設定を受け付けていないとき、制御部１は、読み取り可能な最大サイズの白地の画像データに、読取画像データｉ１を貼りつけた画像データを生成してもよい。
【００６２】
生成された１ページの読取画像データｉ１はジョブに用いられる。操作パネル５がコピージョブを行う設定を受け付けているとき、制御部１は、読取画像データｉ１に基づく印刷を印刷部６に行わせる。操作パネル５が送信ジョブを行う設定を受け付けているとき、制御部１は、読取画像データｉ１に基づくデータ送信を通信部６０に行わせる。
【００６３】
一方、１枚の原稿読み取りが完了したと認識できないとき（ステップ♯１６のＮｏ）、又は、カウント値Ｃ１がセット枚数に到達していないとき（カウント値Ｃ１がセット枚数未満のとき、ステップ♯１７のＮｏ）制御部１は、読み取り動作の完了時点に到達したか否かを確認する（ステップ♯１１２）。操作パネル５が読取範囲のサイズの設定を受け付けたとき、読み取り動作の完了時点は、設定されたサイズの読取範囲の読み取りが完了した時点である。セット枚数の原稿を読み取ったと認識できないとき、制御部１は、設定された読取範囲の読み取りを画像読取部４に続けさせる。
【００６４】
操作パネル５が読取範囲のサイズの設定を受け付けていないとき、読み取り動作の完了時点は読み取り可能な最大サイズの範囲を読み取りが完了した時点である。セット枚数の原稿を読み取ったと認識できないとき、制御部１は、読み取り可能な最大サイズの範囲の読み取りを画像読取部４に続けさせる。
【００６５】
読み取り動作の完了時点に到達していないとき（ステップ♯１１２のＮｏ）、フローは、ステップ♯１５に戻る。原稿（原稿台４ｂ）の読み取りとエッジ検知が続けられる。一方、読み取り動作の完了時点に到達したとき（ステップ♯１１２のＹｅｓ）、フローは、ステップ♯１９に移行する。
【００６６】
（具体例）
次に、図８〜図１０を用いて、実施形態に係るエッジ検知モードでの読み取りの具体例を説明する。図８〜図１０は、実施形態に係るエッジ検知モードでの読み取りの具体例を示す図である。
【００６７】
まず、図８を用いて、原稿台４ｂに矩形の原稿をセットするときの読み取りを説明する。図８の例では、原稿枚数入力画面５５で設定されたセット枚数が５枚であるとする。
【００６８】
複合機１００では、副走査方向で向かい合う原稿台４ｂの端部のうち、基準点Ｐ（ホームポジション）に近い側（図８の左側）から読み取りが開始される。画像データ生成部１１は、主走査方向で１ラインずつ読取画像データｉ１を生成する。制御部１は、周期的に生成される読取画像データｉ１を１ラインずつ確認する。
【００６９】
制御部１は、閉じたエッジを原稿の輪郭と認識する。図８において、読取ラインが副走査方向でＴ１の位置にあるときの読み取りで得られた読取画像データｉ１に基づき、制御部１は、１枚目の原稿の読み取りが完了したと認識する。同様に、読取ラインが副走査方向でＴ２の位置にあるときの読み取りで得られた読取画像データｉ１に基づき、制御部１は、２枚目の原稿の読み取りが完了したと認識する。読取ラインが副走査方向でＴ３の位置にあるときの読み取りで得られた読取画像データｉ１に基づき、制御部１は、３枚目の原稿の読み取りが完了したと認識する。読取ラインが副走査方向でＴ４の位置にあるときの読み取りで得られた読取画像データｉ１に基づき、制御部１は、４枚目の原稿の読み取りが完了したと認識する。読取ラインが副走査方向でＴ５の位置にあるときの読み取りで得られた読取画像データｉ１に基づき、制御部１は、５枚目の原稿の読み取りが完了したと認識する。
【００７０】
図８の例では、操作パネル５で入力されたセット枚数が５枚である。５枚目の原稿の読み取りを完了したと認識した時点で、制御部１は、キャリッジ４２の移動を移動機構４４に停止させる。また、制御部１は、ランプ４５を消灯させる。さらに、制御部１は、イメージセンサー４６（イメージセンサー４６を動作させるための回路）を停止させる。図８の例では、５枚目の原稿を読み取ったと認識できた時点で、読み取りが終了する。そして、制御部１は、キャリッジ４２をホームポジションに戻す。
【００７１】
次に、図９を用いて原稿台４ｂに矩形以外の原稿をセットするときの読み取りを説明する。図９の例では、原稿枚数入力画面５５で設定されたセット枚数が３枚であるとする。
【００７２】
制御部１は、閉じたエッジを原稿の輪郭と認識する。そのため、原稿の形が長方形でなくても、１枚の原稿の読み取りが完了した認識することができる。図９において、読取ラインが副走査方向でＴ６の位置にあるときの読み取りで得られた読取画像データｉ１に基づき、制御部１は、１枚目の原稿の読み取りが完了したと認識する。図９に示す原稿のうち、読み取り完了と最初に認識される原稿は、楕円形の原稿である。
【００７３】
また、図９において、読取ラインが副走査方向でＴ７の位置にあるときの読み取りで得られた読取画像データｉ１に基づき、制御部１は、２枚目の原稿の読み取りが完了したと認識する。図９に示す原稿のうち、読み取り完了と２番目に認識される原稿は、十字形の原稿である。図９において、読取ラインが副走査方向でＴ８の位置にあるときの読み取りで得られた読取画像データｉ１に基づき、制御部１は、３枚目の原稿の読み取りが完了したと認識する。図９に示す原稿のうち、読み取り完了と３番目に認識される原稿は、楕円を半分にしたような形状の原稿である。
【００７４】
図９の例では、操作パネル５で入力されたセット枚数が３枚である。３枚目の原稿の読み取りを完了したと認識した時点で、制御部１は、キャリッジ４２の移動を移動機構４４に停止させる。また、制御部１は、ランプ４５を消灯させる。さらに、制御部１は、イメージセンサー４６（イメージセンサー４６を動作させるための回路）を停止させる。図９の例では、３枚目の原稿を読み取ったと認識できた時点で、読み取りが終了する。そして、制御部１は、キャリッジ４２をホームポジションに戻す。
【００７５】
次に、図１０を用いて、原稿台４ｂにセットされた原稿の枚数が、原稿枚数入力画面５５で設定されたセット枚数よりも多い場合の読み取りを説明する。図１０の例では、原稿枚数入力画面５５で設定されたセット枚数が３枚であるとする。図１０の例では、５枚の原稿が原稿台４ｂにセットされている。
【００７６】
原稿台４ｂにセットされている実際の原稿の枚数と、操作パネル５で入力されたセット枚数が異なる場合がある。実際の原稿の枚数の方が多い場合、制御部１は、入力されたセット枚数だけ原稿を読み取ったと認識できた時点で、原稿の読み取りを終了させる。
【００７７】
図１０において、読取ラインが副走査方向でＴ９の位置にあるときの読み取りで得られた読取画像データｉ１に基づき、制御部１は、１枚目の原稿の読み取りが完了したと認識する。また、読取ラインが副走査方向でＴ１０の位置にあるときの読み取りで得られた読取画像データｉ１に基づき、制御部１は、２枚目の原稿の読み取りが完了したと認識する。読取ラインが副走査方向でＴ１１の位置にあるときの読み取りで得られた読取画像データｉ１に基づき、制御部１は、３枚目の原稿の読み取りが完了したと認識する。
【００７８】
読み取ったと認識できた原稿の枚数がセット枚数に到達したとき、制御部１は、キャリッジ４２の移動を移動機構４４に停止させる。また、制御部１は、ランプ４５を消灯させる。さらに、制御部１は、イメージセンサー４６（イメージセンサー４６を動作させるための回路）を停止させる。原稿台４ｂの全原稿を読み取っていない。制御部１は、操作パネル５で設定された枚数を優先する。
【００７９】
このようにして、実施形態に係る画像読取装置（複合機１００）は、原稿台４ｂ、キャリッジ４２、移動機構４４、イメージセンサー４６、画像データ生成部１１、制御部１を含む。原稿台４ｂは、読み取る原稿がセットされる。キャリッジ４２は、原稿の読み取りのときに原稿台４ｂに向けて光を照射するランプ４５を含む。移動機構４４は、原稿の読み取りのとき、原稿台４ｂの副走査方向で向かい合う辺の一方から他方に向けて、キャリッジ４２を移動させる。イメージセンサー４６は、一方から他方に向けてキャリッジ４２が移動している間、ランプ４５から照射された光に基づき、原稿を読み取る。画像データ生成部１１は、イメージセンサー４６が出力するアナログ画像信号に基づき読取画像データｉ１を生成する。制御部１は、原稿の読み取り開始後、一方から他方に向けてキャリッジ４２が移動している間、ランプ４５を点灯させる。制御部１は、キャリッジ４２の移動中に生成された読取画像データｉ１内での原稿のエッジを検知する。制御部１は、キャリッジ４２の移動中、エッジの検知結果に基づき、セットされた原稿を読み取ったと認識する。制御部１は、１又は複数回、セットされた原稿を読み取ったと認識したとき、キャリッジ４２の移動を移動機構４４に停止させる。制御部１は、キャリッジ４２を停止させたとき、ランプ４５を消灯させ、イメージセンサー４６の読み取りを終了させる。
【００８０】
この構成によれば、設定された読取範囲よりも小さい原稿がセットされても、原稿の読み取りが完了した時点で、キャリッジ４２の移動を停止させることができる。原稿の読み取りが完了した時点で、ランプ４５を消灯し、イメージセンサー４６の動作を停止することができる。設定された読取範囲よりも小さい原稿がセットされたとき、無駄な読取動作と無駄な電力消費を無くすことができる。原稿の読み取り時間を短くすることもできる。
【００８１】
また、画像読取装置（複合機１００）は、原稿台４ｂにセットする原稿の枚数であるセット枚数の設定を受け付ける操作パネル５を含む。制御部１は、キャリッジ４２の移動中、セットされた原稿を読み取ったと認識した回数をカウントする。制御部１は、回数のカウント値Ｃ１がセット枚数と同じ値になったとき、キャリッジ４２の移動を移動機構４４に停止させる。複数枚の小型の原稿がセットされた場合、セット枚数の原稿を読み取ったと認識できた時点で、キャリッジ４２の移動を停止させることができる。設定された枚数の原稿を読み取った時点で、ランプ４５を消灯しイメージセンサー４６の動作を停止することができる。
【００８２】
また、操作パネル５は、読取範囲のサイズの設定を受け付ける。設定されたサイズの範囲を読み取った時点のカウント値Ｃ１がセット枚数よりも小さいとき、制御部１は、設定されたサイズの範囲の読み取りが完了した時点で、キャリッジ４２を移動機構４４に停止させる。セット枚数分の原稿を読み取ったと認識できるまで、キャリッジ４２の移動、ランプ４５点灯を続けることができる。キャリッジ４２の移動、ランプ４５点灯を続ける期間の上限を設定することができる。
【００８３】
操作パネル５が読取範囲のサイズの設定を受け付けていない場合、読み取り可能な最大サイズの範囲を読み取った時点のカウント値Ｃ１がセット枚数よりも小さいとき、制御部１は、最大サイズの範囲の読み取りが完了した時点で、キャリッジ４２を移動機構４４に停止させる。セット枚数分の原稿を読み取ったと認識できるまで、キャリッジ４２の移動、ランプ４５点灯を続けることができる。
【００８４】
キャリッジ４２のホームポジションが予め設定される。ホームポジションは、読取ラインの位置が原稿台４ｂの外側となる位置に設けられる。ホームポジションは、他方よりも一方に近い位置である。一方から他方へのキャリッジ４２の移動が停止したとき、制御部１は、ホームポジションに向けて、キャリッジ４２を移動機構４４に移動させる。セット枚数の原稿を読み取ってキャリッジ４２を停止させたとき、キャリッジ４２をホームポジションまで戻すことができる。次の読み取りに備えて、キャリッジ４２を戻すことができる。キャリッジ４２は、中途半端な位置での停止後、放置されない。
【００８５】
制御部１は、閉じられたエッジを検知して原稿の輪郭を認識する。輪郭を認識したとき、制御部１は、セットされた原稿を読み取ったと認識する。セットされた原稿を１枚読み取ったことを正確に認識することができる。
【００８６】
以上、本発明の実施形態について説明したが、本発明の範囲はこれに限定されるものではなく、発明の主旨を逸脱しない範囲で種々の変更を加えて実施することができる。
【産業上の利用可能性】
【００８７】
本発明は、画像読取装置（画像形成装置）に利用可能である。
【符号の説明】
【００８８】
１００  複合機（画像読取装置）        １      制御部
１１    画像データ生成部              ４ｂ    原稿台
４２    キャリッジ                    ４４    移動機構
４５    ランプ                        ４６    イメージセンサー
５      操作パネル                    ｉ１    読取画像データ
Ｃ１    カウント値
【図１】
2020039076.tif 000003
【図２】
2020039076.tif 000004
【図３】
2020039076.tif 000005
【図４】
2020039076.tif 000006
【図５】
2020039076.tif 000007
【図６】
2020039076.tif 000008
【図７】
2020039076.tif 000009
【図８】
2020039076.tif 000010
【図９】
2020039076.tif 000011
【図１０】
2020039076.tif 000012